(57)【要約】      （修正有）【課題】おはしょりを設け、背中の丸い人が着ても後身頃の裾が不恰好に上がらず、裾がきれいに所定の位置に位置する背中の丸い人用着物を提供する。【解決手段】背中の丸い人用着物は、おはしょりを形成する着脱自在なおはしょり用留め具を着物裏側に設けた背中の丸い人用着物であって、上前身頃、下前身頃及び後身頃の裾それぞれの位置と背中の丸まり具合とによりおはしょりの幅をとり、かつおはしょりの幅を背中心部分において通常の幅よりも幅狭で背中心部分からその近傍にかけて略平行にとり又は徐々に幅広にとりさらにそこから上前身頃及び下前身頃の褄下側の方向にそれぞれ徐々に幅広にとっておはしょりを形成するようにおはしょり用留め具を設けた。【選択図】  図１
2007077517.tif 000002
【特許請求の範囲】
【請求項１】
おはしょりを形成する着脱自在なおはしょり用留め具を着物裏側に設けた背中の丸い人用着物であって、
上前身頃、下前身頃及び後身頃の裾それぞれの位置と背中の丸まり具合とにより前記おはしょりの幅をとり、かつ前記おはしょりの幅を背中心部分において通常の幅よりも幅狭で前記背中心部分からその近傍にかけて略平行にとり又は徐々に幅広にとりさらにそこから上前身頃及び下前身頃の褄下側の方向にそれぞれ徐々に幅広にとって前記おはしょりを形成するように前記おはしょり用留め具を設けたことを特徴とする背中の丸い人用着物。
【請求項２】
前記おはしょりの幅を段階的に調節できるように前記おはしょり用留め具を着物の上下方向に複数設けたことを特徴とする請求項１記載の背中の丸い人用着物。
【請求項３】
前記おはしょり用留め具はファスナーであることを特徴とする請求項１又は２記載の背中の丸い人用着物。
【請求項４】
前記おはしょり用留め具に替えて該おはしょり用留め具で留める箇所を固定手段により固定するように構成したことを特徴とする請求項１記載の背中の丸い人用着物。
【請求項５】
下前身頃側にある衿又はその近傍の一部と上前身頃側にある着物裏側の身八つ口の下部の一部とを留める着脱自在な下前身頃用留め具を設け、上前身頃側にある衿又はその近傍の一部と下前身頃側にある着物表側の身八つ口の下部の一部とを留める着脱自在な上前身頃用留め具を設けたことを特徴とする請求項１ないし４いずれか一項記載の背中の丸い人用着物。
【請求項６】
前記下前身頃用留め具及び又は上前身頃用留め具は紐又はボタンであることを特徴とする請求項１ないし５いずれか一項記載の背中の丸い人用着物。
【請求項７】
背中の丸い人用着物を作成する背中の丸い人用着物作成方法であって、
上前身頃、下前身頃及び後身頃の裾それぞれが背中の丸い人の所定の位置に位置するように位置決めするステップと、
所望の位置において前記所定の位置及び背中の丸まり具合によりおはしょりの幅をとりかつ該おはしょりの幅を背中心部分において通常の幅よりも幅狭で前記背中心部分からその近傍にかけて略平行にとり又は徐々に幅広にとりさらにそこから上前身頃及び下前身頃の褄下側の方向にそれぞれ徐々に幅広にとっておはしょりを形成するとともにおはしょりの上線の位置に目印を設けるステップと、
前記目印に沿っておはしょり用留め具を着物裏側に設けるか固定手段により固定するステップと
を有することを特徴とする背中の丸い人用着物作成方法。
【発明の詳細な説明】
【技術分野】
【０００１】
本発明は着物に関し、特に背中の丸い人を対象とした着物及び着物の作成方法に関する。
【背景技術】
【０００２】
着物の発明に関して例えば特許文献１には、着物裏側におはしょりを複数段階に調節するための丈調節止め具を設けると共に、着物表側に右衿をつめるため衿つめ止め具を設け、さらに着物の左衿を着物表側の背に止める衿止め具を設け、さらに左右の衿に紐を設けると共に、着物表側の背に前記紐を挿通する保持部を設け、前記右衿の紐を左の身八つ口の裏から表に通して左側から裏側の背の前記保持部に通し、左衿の紐は右側から裏側の背の保持部に通し、この左右の両紐を前側で結ぶように構成したことを特徴とするおはしょりフリーサイズ対丈着物が開示されている（請求の範囲参照）。
【０００３】
ここで、おはしょりは着物を美しく着るために必要とされている。上記発明では丈調節止め具により、おはしょりを設けるとともにおはしょりの幅を着物を着る人の背丈によって変えることが出来る（明細書[０００４]参照）。
【０００４】
【特許文献１】特開平９−３１０２０６
【発明の開示】
【発明が解決しようとする課題】
【０００５】
しかし、上記特許文献１記載の着物ではおはしょりの幅を平行にとっており、この着物を背中の丸い人、例えば加齢により背中が丸まった老人や骨粗しょう症等により背中が丸まった人に背丈を調節して着せても、背中の長さが長いため、後身頃の裾が不恰好に上がってしまうという不都合がある。
【０００６】
本発明は上記点に鑑みてなされたものでありその目的とするところは、おはしょりを設けつつも、背中の丸い人が着ても後身頃の裾が不恰好に上がらず、裾がきれいに所定の位置に位置する背中の丸い人用着物、背中の丸い人用着物作成方法を提供することにある。
【課題を解決するための手段】
【０００７】
上記課題を解決するための請求項１記載の背中の丸い人用着物は、おはしょりを形成する着脱自在なおはしょり用留め具を着物裏側に設けた背中の丸い人用着物であって、上前身頃、下前身頃及び後身頃の裾それぞれの位置と背中の丸まり具合とにより前記おはしょりの幅をとり、かつ前記おはしょりの幅を背中心部分において通常の幅よりも幅狭で前記背中心部分からその近傍にかけて略平行にとり又は徐々に幅広にとりさらにそこから上前身頃及び下前身頃の褄下側の方向にそれぞれ徐々に幅広にとって前記おはしょりを形成するように前記おはしょり用留め具を設けたことを特徴とするものである。
【０００８】
上記課題を解決するための請求項２記載の背中の丸い人用着物は、前記おはしょりの幅を段階的に調節できるように前記おはしょり用留め具を着物の上下方向に複数設けたことを特徴とする請求項１記載の背中の丸い人用着物である。
【０００９】
上記課題を解決するための請求項３記載の背中の丸い人用着物は、前記おはしょり用留め具はファスナーであることを特徴とする請求項１又は２記載の背中の丸い人用着物である。
【００１０】
上記課題を解決するための請求項４記載の背中の丸い人用着物は、前記おはしょり用留め具に替えて該おはしょり用留め具で留める箇所を固定手段により固定するように構成したことを特徴とする請求項１記載の背中の丸い人用着物である。
【００１１】
上記課題を解決するための請求項５記載の背中の丸い人用着物は、下前身頃側にある衿又はその近傍の一部と上前身頃側にある着物裏側の身八つ口の下部の一部とを留める着脱自在な下前身頃用留め具を設け、上前身頃側にある衿又はその近傍の一部と下前身頃側にある着物表側の身八つ口の下部の一部とを留める着脱自在な上前身頃用留め具を設けたことを特徴とする請求項１ないし４いずれか一項記載の背中の丸い人用着物である。
【００１２】
上記課題を解決するための請求項６記載の背中の丸い人用着物は、前記下前身頃用留め具及び又は上前身頃用留め具は紐又はボタンであることを特徴とする請求項１ないし５いずれか一項記載の背中の丸い人用着物である。
【００１３】
上記課題を解決するための請求項７記載の背中の丸い人用着物作成方法は、背中の丸い人用着物を作成する背中の丸い人用着物作成方法であって、上前身頃、下前身頃及び後身頃の裾それぞれが背中の丸い人の所定の位置に位置するように位置決めするステップと、所望の位置において前記所定の位置及び背中の丸まり具合によりおはしょりの幅をとりかつ該おはしょりの幅を背中心部分において通常の幅よりも幅狭で前記背中心部分からその近傍にかけて略平行にとり又は徐々に幅広にとりさらにそこから上前身頃及び下前身頃の褄下側の方向にそれぞれ徐々に幅広にとっておはしょりを形成するとともにおはしょりの上線の位置に目印を設けるステップと、前記目印に沿っておはしょり用留め具を着物裏側に設けるか固定手段により固定するステップとを有することを特徴とする背中の丸い人用着物作成方法である。
【００１４】
本発明において「上下方向」とは、着物を人に着せた場合において人の身長方向をいう。また、上とは頭のある方向、下は足のある方向をいう。
【００１５】
本発明において「おはしょりの幅」とは、おはしょりの上線とおはしょりの下線の間の長さをいう。
【００１６】
本発明において「おはしょりの上線」とは、おはしょりを形成した際の着物の生地の折り返しにより出来る線であって、上側にある線である。通常の着物では、腰紐により着物の生地を折り返して出来る線が相当する。
【００１７】
本発明において「おはしょりの下線」とは、おはしょりを形成した際の着物の生地の折り返しにより出来る線であって、下側にある線である。
【００１８】
本発明において「略平行」とは、平行をも含む概念である。
【００１９】
本発明において「背中心部分」とは、背中心及びその近傍の部分をいう。
【００２０】
本発明において「上前身頃」、「下前身頃」とは、着物の身頃のうち、胴体の前の部分をおおうものであって、衽の部分も含む。
【発明の効果】
【００２１】
請求項１記載の発明により、おはしょり用留め具により着物を着る前からおはしょりを容易に形成出来るので、着物を簡単に着ることが出来る。とくに、背中の丸い人は体型の変化によりおはしょりを簡単に形成することができず、着物を簡単に着ることが出来ないが、おはしょりを着物を着る前に形成することで着物を簡単に着ることが出来る。また、いちいち腰紐を巻いておはしょりを形成する必要も無くなる。
【００２２】
さらに、背中の丸まった人が着物を着ても上前身頃、下前身頃及び後身頃の裾が所定の位置に位置するようになり、後身頃の裾が不恰好に上がらずに着物を着ることが出来る。また、おはしょりの幅を上前身頃及び下前身頃の褄下側の方向にそれぞれ徐々に幅広にとることにより、とくに前側において帯の胴体からおはしょりの下線を所定位置に出すことが出来る。さらに、背中が丸まって体型が変化しても以前着ていた着物におはしょり用留め具を設け背中の丸い人用着物を作成すれば以前着ていた着物を着ることができる。さらに、着物を裁断するわけではないので、おはしょり用留め具を取ってしまえば元の着物に戻すことが出来る。おはしょり用留め具をはずすことで、背中の丸い人用着物を元の状態に戻すことが出来、着物を元の状態にして、たたんで収納できる。
【００２３】
請求項２記載の発明により、おはしょりの幅を調節できるため、おはしょりの幅が調節でき、着物の丈を調節できることになる。着物の丈を調節することにより、例えば雨天の時には丈を短くする等の丈の調節が可能となる。
【００２４】
請求項３記載の発明によると、おはしょり用留め具をファスナーにすることにより、ファスナーを閉めるだけでおはしょりを容易に形成できる。
【００２５】
請求項４記載の発明によると、おはしょり用留め具に替えておはしょり用留め具で留める箇所を固定手段により固定するため、背中の丸い人用着物を着たり脱いだりするたびに、おはしょり用留め具を操作しなくてよくなる。
【００２６】
請求項５記載の発明によると、上前身頃用留め具、下前身頃用留め具により、腰紐を用いることなく背中の丸い人用着物を着ることが出来る。また、手を後ろに回すことなく楽に背中の丸い人用着物を着ることが出来る。特に、手を後ろに回すことが不自由な人にとっては、手を後ろに回す必要なく、体の横又は前側で上前身頃用留め具、下前身頃用留め具を結ぶ等して留めることができ、着物を容易に着用できる。
【００２７】
請求項６記載の発明によると、ボタン、紐によりその使用が容易になる。
【００２８】
請求項７記載の発明によると、背中の丸い人用着物をうまく作成できる。
【発明を実施するための最良の形態】
【００２９】
本発明の実施形態について図面を適宜参照しながら説明する。同じもの又は対応するものについては同じ番号を付して説明する。図において直接見えない部分については適宜、想像線（破線）で示す。
【００３０】
背中の丸い人用着物１におはしょり８を形成する着脱自在なおはしょり用留め具を着物裏側に設ける。さらに、おはしょり用留め具が形成するおはしょり８の幅を段階的に調節できるようにおはしょり用留め具を着物の上下方向に複数設ける。
【００３１】
例えば、おはしょり用留め具はファスナーにより実現される。図１、図２のように背中の丸い人用着物１に、ファスナー２ａ、ファスナー２ｂ、ファスナー３ａ、ファスナー３ｂをおはしょりの幅を段階的に調節できるように着物裏側において着物の上下方向に二組設ける。図１は背中の丸い人用着物１を着物裏側から示す概略図である。図２は背中の丸い人用着物を着物表側から示す概略図である。
【００３２】
ここで、図１、図２のファスナー２ａとファスナー２ｂとは一組になっており、ファスナー２ａとファスナー２ｂとでファスナーを閉めることが出来る。以下ではファスナー２ａとファスナー２ｂとを一組としてファスナー２とする。
【００３３】
ここで、図１、図２のファスナー３ａとファスナー３ｂとは一組になっており、ファスナー３ａとファスナー３ｂとでファスナーを閉めることが出来る。以下ではファスナー３ａとファスナー３ｂとを一組としてファスナー３とする。
【００３４】
ファスナー２を閉めることによりおはしょり８を形成することが出来る。ファスナー３を閉めることによりおはしょり８を形成することが出来る（図３、図４参照）。図３はおはしょり８を形成した後（例えば背中の丸い人に着物を羽織らせておはしょり８を形成した後や背中の丸い人用着物１について着用する前にファスナー３を閉めた後）の背中の丸い人用着物１の裏側を示す概略図である。図４はおはしょり８を形成した後（例えば背中の丸い人に着物を羽織らせておはしょり８を形成した後や背中の丸い人用着物１について着用する前にファスナー３を閉めた後）の背中の丸い人用着物１の着物表側を示す概略図である。図３、図４において、衿１３ａ、衿１３ｂのおはしょり８により折り込まれる一部は省略されている。
【００３５】
ファスナー２等（図１、図２参照）のおはしょり用留め具により背中の丸い人用着物１を着る前からおはしょり８を容易に形成出来るので、着物を簡単に着ることが出来る。とくに、背中の丸い人は体型の変化によりおはしょり８を簡単に形成することができず、着物を簡単に着ることが出来ないが、おはしょり８を着物を着る前に形成することで着物を簡単に着ることが出来る。また、いちいち腰紐を巻いておはしょり８を形成する必要も無くなる。さらに、背中が丸まって体型が変化しても以前着ていた着物におはしょり用留め具を設け背中の丸い人用着物１を作成すれば以前着ていた着物を着ることができる。さらに、着物を裁断するわけではないので、おはしょり用留め具を取ってしまえば元の着物に戻すことが出来る。
【００３６】
また、おはしょり用留め具をファスナーにすることにより、ファスナーを閉めるだけでおはしょり８を容易に形成できる。
【００３７】
ファスナー２及びファスナー３（図１、図２参照）のようにおはしょり用留め具を着物裏側において着物の上下方向に複数設けることにより、どのファスナーを閉めるか、すなわちどのおはしょり用留め具で着物裏側の所定の部分を留めておはしょりを形成するか選択できる。
【００３８】
これによりおはしょり８の幅を調節できる。おはしょり８の幅が調節できると言うことは着物の丈を調節できることになる。着物の丈を調節することにより、例えば雨天の時には丈を短くする等の丈の調節が可能となる。
【００３９】
また、ファスナー２とファスナー３を同種類のものにすることで、例えばファスナー２ａとファスナー３ｂとでファスナーを閉めることを可能とすることが出来る。
【００４０】
このように、ファスナー２とファスナー３（図１、図２参照）を同種類のものにする、すなわち、複数のファスナーについて互いに開閉可能とすることにより、おはしょり８の幅をより細かく調節できる。また、ファスナー２とファスナー３を色違いにする。すなわち、おはしょり用留め具を複数設けた場合に互いに色違いとすることで、どのファスナーを締めればどの丈になるか等の区別を容易につけられる。
【００４１】
ファスナー２等のおはしょり用留め具は、おはしょり８の幅を以下のようにしておはしょり８を形成するように着物裏側において設ける。具体的には、おはしょり８の幅を以下のようにしておはしょり８の幅をとっておはしょり８を形成するとともにおはしょりの上線１０の位置に目印を設け、この目印に沿っておはしょり用留め具を着物裏側に設ける。
【００４２】
おはしょり８を形成する際、腰紐やゴム製腰紐を使用すると、おはしょり８を形成しやすい。目印はおはしょりの上線１０の位置を糸で仮縫いする、安全ピンや待ち針で留める等することにより設けられる。
【００４３】
おはしょり８を形成するとともに目印を設けるステップは、例えば、背中の丸い人が着物を着て衿１３ａ、１３ｂ、下前身頃７、上前身頃６等を整えて（おはしょりを形成する通常の場合と同様に着物を整えて）行い、目印に沿っておはしょり用留め具を着物裏側に設けるステップについては、着物を脱いでから行うとよい。
【００４４】
おはしょり８を形成する際、上前身頃６に形成されたおはしょりの下線１１が帯の胴体の下線と平行になり、かつ、おはしょりの下線１１と帯の胴体の下線との間の長さが所望の長さになるように、おはしょり８を形成するのが望ましい。
【００４５】
おはしょり８を形成した場合には、基本的に上前身頃６側にある褄下１２ａの長さよりも下前身頃７側にある褄下１２ｂの長さの方が短くなる（図３、図４参照）。
【００４６】
まず、上前身頃６、下前身頃７及び後身頃５の裾それぞれの位置と背中の丸まり具合とによりおはしょりの幅をとる。
【００４７】
具体的には、例えば、背中の丸い人に着物を羽織ってもらい、上前身頃６、下前身頃７及び後身頃５の裾それぞれの位置（通常の着物を着るときと同様の位置、例えば後身頃５においては背中の丸い人のかかとの位置）を決め、さらに背中の丸まり具合に合わせ（衿１３ａ、１３ｂ、下前身頃７、上前身頃６等を整えて）、着物の上半身の余った部分を用いておはしょり８（図３、図４参照）を形成する。これにより、上前身頃６、下前身頃７及び後身頃５の裾それぞれの位置と背中の丸まり具合とによりおはしょり８（図３、図４参照）の幅をとることが出来る。
【００４８】
そして、おはしょり８の幅を背中心部分において通常の幅よりも幅狭で背中心部分からその近傍にかけて略平行にとりさらにそこから上前身頃６及び下前身頃７の褄下（褄下１２ａ、褄下１２ｂ）側の方向にそれぞれ徐々に幅広にとる（図３、図４参照）。
【００４９】
背中心部分からその近傍（例えば背中心４からそれぞれ１０ｃｍ程度、それ以上でも以下でもよい。）にかけて略平行におはしょり８の幅をある程度平行にとること（図３、図４参照）により、おはしょり８を形成しやすくなる。
【００５０】
背中心部分からその近傍にかけてのおはしょり８の幅は前記背中心部分からその近傍にかけて徐々に幅広にとってもよい。
【００５１】
ここで、上述のように「背中心部分」とは背中心４及びその近傍の部分をいい、この部分の少なくとも一部のおはしょり８の幅が通常の幅よりも幅狭になる。すなわち、「背中心部分において通常の幅よりも幅狭」とは、背中心部分における少なくとも一部（背中心４上でなくても良い）にあるおはしょり８の幅が通常の幅よりも狭くなればよい。
【００５２】
おはしょり８の幅は上述のようにおはしょりの上線１０とおはしょりの下線１１の間の長さをいう（図３及び図４参照）。ここで、図３及び図４において、おはしょりの上線１０は閉められたファスナー３の位置に相当する。
【００５３】
おはしょり８の幅を上記のように取ることにより（図３、図４参照）、背中の丸まった人が着物を着ても上前身頃６、下前身頃７及び後身頃５の裾（図３、図４参照）が所定の位置に位置するようになり、後身頃５の裾が不恰好に上がらずに着物を着ることが出来る。
【００５４】
また、おはしょり８の長さを上前身頃６及び下前身頃７の褄下（褄下１２ａ、褄下１２ｂ）側の方向にそれぞれ徐々に幅広にとることにより、とくに前側において帯の胴体からおはしょりの下線１１を所定位置に出すことが出来る。
【００５５】
おはしょり用留め具は上記のファスナーの他に例えばスナップにより実現される。また、おはしょり用留め具に替えて、おはしょり用留め具で留める箇所を固定手段により固定してもよい。固定手段は、糸で縫いつける等により実現される。
【００５６】
おはしょりの形状、おはしょり用留め具の着物裏側への設け方については適宜決定し得る。但し、所望の位置において上述のように所定の位置及び背中の丸まり具合によりおはしょりの幅をとりかつおはしょりの幅を背中心部分において通常の幅よりも幅狭で前記背中心部分からその近傍にかけて略平行にとり又は徐々に幅広にとりさらにそこから上前身頃及び下前身頃の褄下側の方向にそれぞれ徐々に幅広にとっておはしょりを形成し、かつこのようにおはしょりを形成するような位置におはしょり用留め具を着物裏側に設ける。
【００５７】
おはしょり用留め具がファスナーで実現される場合には、ファスナー２やファスナー３を図１、図２のような位置において設けられる。すなわち、ファスナー２ａ、ファスナー２ｂの一組のファスナー２を背中心部分からその近傍にかけて略平行に設け、さらにそこから上前身頃６及び下前身頃７の褄下（褄下１２ａ、褄下１２ｂ）側の方向にそれぞれ徐々に幅広に設けられる。なお、ファスナー２ａ、ファスナー２ｂは同じ長さが望ましいので例えば衿１３ａ、１３ｂを折り返してファスナー２ａ、ファスナー２ｂの長さを調節すると良い（図１、図２参照）。
【００５８】
おはしょり用留め具はファスナーの他に例えば上述のようにスナップにより実現される。この場合、一組のスナップは、例えば図１、図２のファスナー２ａ、ファスナー２ｂの位置する線上にそれぞれ所定の間隔で複数設けられる。また、これに替えてまたは加えて、スナップをファスナー３ａ、ファスナー３ｂの位置する線上に所定の間隔で複数設けられる。
【００５９】
おはしょり用留め具の替わりに上述の固定手段を設ける場合は、ファスナー２やファスナー３の閉める位置において糸で縫い付ける等する。すなわち、ファスナー２ａとファスナー２ｂ又はファスナー３ａとファスナー３ｂの線上の生地を縫い付ける等する。なお、この場合、おはしょりの上線１０は縫い付けた部分が相当する。
【００６０】
おはしょり用留め具を採用した場合には、この留め具をはずす（例えばファスナーにおいてはファスナーを開ける）ことで、背中の丸い人用着物１を元の状態に戻すことが出来（図１、図２参照）、着物を元の状態にして、たたんで収納できる。
【００６１】
おはしょり用留め具に替えておはしょり用留め具で留める箇所を固定手段により固定する場合は、背中の丸い人用着物１を着たり脱いだりするたびに、おはしょり用留め具を操作しなくてよくなる。
【００６２】
下前身頃７側にある衿１３ｂ又はその近傍の一部と上前身頃６側にある着物裏側の身八つ口１７ａの下部の一部とを留める着脱自在な下前身頃用留め具を設け、上前身頃６側にある衿１３ａ又はその近傍の一部と下前身頃７側にある着物表側の身八つ口１７ｂの下部の一部とを留める着脱自在な上前身頃用留め具を設ける。上前身頃用留め具、下前身頃用留め具については、例えば紐又はボタンにより実現される。
【００６３】
具体的には例えば図１ないし図４のように、紐１５ａを下前身頃７側にある衿１３ｂの所定箇所に設け、紐１５ｂを上前身頃６側にある着物裏側の脇線１４ａ上の所定箇所に設ける。紐１５ａと紐１５ｂを結ぶことにより、下前身頃７側にある衿１３ｂの所定箇所と上前身頃６側にある着物裏側の脇線１４ａ上の所定箇所とを留めることができる。
【００６４】
紐１５ａは衿１３ｂの表、裏どちらに設けても良く、衿１３ｂの近傍に設けてもよい。紐１５ｂは、上前身頃６側にある着物裏側の身八つ口１７ａの下部に設けることができ、脇線１４ａ上の所定箇所でなくてもよい。身八つ口１７ａの下部は脇線１４ａ上のほかその近傍を含めた部分である。
【００６５】
下前身頃用留め具を設ける位置は、下前身頃用留め具を設けることで下前身頃７側にある衿１３ｂ又はその近傍の一部と上前身頃６側にある着物裏側の身八つ口１７ａの下部の一部とを留めることができる位置であれば問わない。
【００６６】
また、図１ないし図４のように、紐１６ａを上前身頃６側にある衿１３ａの所定箇所に設け、紐１６ｂを下前身頃７側にある着物表側の脇線１４ｂ上の所定箇所に設ける。紐１６ａと紐１６ｂを結ぶことにより、上前身頃６側にある衿１３ａの所定箇所と下前身頃７側にある着物表側の脇線１４ｂ上の所定箇所とを留めることができる。
【００６７】
紐１６ａは衿１３ａの表、裏どちらに設けても良く、衿１３ａの近傍に設けてもよい。紐１６ｂは、下前身頃７側にある着物表側の身八つ口１７ｂの下部に設けることができ、脇線１４ｂ上の所定箇所でなくてもよい。身八つ口１７ｂの下部は脇線１４ｂ上のほかその近傍を含めた部分である。
【００６８】
上前身頃用留め具を設ける位置は、上前身頃用留め具を設けることで上前身頃６側にある衿１３ａ又はその近傍の一部と下前身頃７側にある着物表側の身八つ口１７ｂの下部の一部とを留めることができる位置であれば問わない。
【００６９】
上前身頃用留め具、下前身頃用留め具については、紐の他にボタンにより実現される。この場合は、例えば、紐１５ｂ、紐１６ｂの替わりにボタンを設け、紐１５ａ、紐１６ａの替わりに輪の形状に設けたボタンを掛ける紐（これもボタンと表現する）を設け、該紐にボタンを掛けることにより、下前身頃７側にある衿１３ｂ又はその近傍の一部と上前身頃側にある着物裏側の身八つ口１７ａの下部の一部とを留めることができ、上前身頃側にある衿１３ａ又はその近傍の一部と下前身頃側にある着物表側の身八つ口１７ｂの下部の一部とを留めることができる。
【００７０】
上前身頃用留め具、下前身頃用留め具は、例えば、背中の丸い人が着物を着て、衿１３ａ、１３ｂ、下前身頃７、上前身頃６等を整えて（通常の場合と同様に着物を整えて）から、所望の上述した位置に設ける。
【００７１】
上前身頃用留め具、下前身頃用留め具により、腰紐を用いることなく背中の丸い人用着物１を着用することが出来る。また、手を後ろに回すことなく楽に着物を着用することが出来る。
【００７２】
背中の丸い人用着物１の使用方法について図５ないし図１０を参照して説明する。
【００７３】
図５及び６は背中の丸い人用着物１を着用した際の前から見た概略図である（人は省略している）。図７は背中の丸い人用着物１を着用した際の後ろから見た概略図である（人は省略している）。
【００７４】
図８は背中の丸い人用着物１を着用し、帯を締めた際の前から見た概略図である（人は省略している）。図９は背中の丸い人用着物１を着用し、帯を締めた際の後から見た概略図である（人は省略している）。図１０は背中の丸い人用着物１を着用し、帯を締めた際の概略図である。
【００７５】
なお、図９、図１０では帯上げ等が適宜省略されている。また、図９においてお太鼓２２内における帯の胴体２０及び帯締め２１を表す想像線（破線）は省略されている。
【００７６】
図５において下前身頃用留め具を紐１５、上前身頃用留め具を紐１６としている。紐１５は当然、上前身頃６により隠れている。
【００７７】
図５のように、紐１５により、下前身頃７側にある衿１３ｂと上前身頃６側にある着物裏側の身八つ口１７ａ（図５において図示せず）の下部の一部とを留め、紐１６により、上前身頃６側にある衿１３ａと下前身頃７側にある着物表側の身八つ口１７ｂ（図５において図示せず）の下部の一部とを留める。
【００７８】
このようにすることで、腰紐を用いることなく背中の丸い人用着物１を着ることが出来る。また、手を後ろに回すことなく楽に着物を着ることが出来る。
【００７９】
図６において下前身頃用留め具をボタン１８、上前身頃用留め具をボタン１９ａ、ボタン１９ｂとしている。ボタン１９ａは輪の形状に設けたボタンを掛ける紐である。ボタン１９ａ、ボタン１９ｂにより、上前身頃側にある衿１３ａと下前身頃７側にある着物表側の身八つ口１７ｂ（図６において図示せず）の下部の一部とを留めることができる。
【００８０】
図６のように、ボタン１８により、下前身頃７側にある衿１３ｂと上前身頃６側にある着物裏側の身八つ口１７ａ（図６において図示せず）の下部の一部とを留め、ボタン１９ａ、ボタン１９ｂにより、上前身頃６側にある衿１３ａと下前身頃７側にある着物表側の身八つ口１７ｂ（図６において図示せず）の下部の一部とを留める。
【００８１】
図５、図６、図７のようにおはしょりの上線１０とおはしょりの下線１１の間の長さ、すなわちおはしょり８の幅は前側（お腹側）が幅広く、後ろ側（背中側）で幅狭となっている。
【００８２】
図８、図９、図１０のように帯を締めると、前側においては、おはしょりの下線１１を帯の胴体２０の下に出すこと出来る。なお、２１は帯締めを示す。
【００８３】
一方、後ろ側においては、前側に比べおはしょり８の幅が狭いため、おはしょりの下線１１が前側のおはしょりの下線１１よりも上に位置するようになり、おはしょり８の下線１１と帯の胴体２０の下線との間の長さは前側よりも短くなる。さらに、図８、図９、図１０では背中心部分において一番短くなっている。
【００８４】
後ろ側において、おはしょりの下線１１と帯の胴体２０の下線との間の長さが前側よりも短くなっても、お太鼓２２やたれ２３によりおはしょりの下線１１はほとんど隠れてしまうので、後側においてはおはしょりの下線１１はどのような形状であっても又はおはしょりの下線１１が帯の胴体２０に隠れてしまっても大した影響は無い。横側についても、おはしょりの下線１１は袖２４ａ、袖２４ｂにほとんど隠れてしまう。
【００８５】
背中の丸まり具合により、おはしょり８の形状は変わってくるので、おはしょりの下線１１が帯の胴体２０に隠れてしまう場合もある。
【００８６】
背中の丸まり具合により、前側において、おはしょり８の幅が広くなってしまうこともあるが、帯の胴体２０に隠れる部分で適宜織り込む等することにより、おはしょりの下線１１を帯の胴体２０の下の所定位置に位置させることが出来る。
【００８７】
後側においても前側と同様に、おはしょりの下線１１が帯の胴体２０と平行に、かつ、おはしょりの下線１１と帯の胴体２０の下線の間の長さが前側と同様になるようにおはしょり８を形成する位置におはしょり用留め具を設けても良い。
【００８８】
この場合には、おはしょりの上線１０は図９の位置よりも下に位置することになる。
【００８９】
そして、図１０に示すように、背中の丸い人用着物１を背中の丸い人が着ると後身頃５の裾が不恰好に上がらず、裾がきれいに所定の位置に位置するようになる。
【図面の簡単な説明】
【００９０】
【図１】背中の丸い人用着物を着物裏側から示す概略図である。
【図２】背中の丸い人用着物を着物表側から示す概略図である。
【図３】おはしょりを形成した後の背中の丸い人用着物の裏側を示す概略図である。
【図４】おはしょりを形成した後の背中の丸い人用着物の表側を示す概略図である。
【図５】背中の丸い人用着物を着用した際の前から見た概略図である。
【図６】背中の丸い人用着物を着用した際の前から見た概略図である。
【図７】背中の丸い人用着物を着用した際の後ろから見た概略図である。
【図８】背中の丸い人用着物を着用し、帯を締めた際の前から見た概略図である。
【図９】背中の丸い人用着物を着用し、帯を締めた際の後から見た概略図である。
【図１０】背中の丸い人用着物を着用し、帯を締めた際の概略図である。
【符号の説明】
【００９１】
１                    背中の丸い人用着物
２ａ、２ｂ            ファスナー
３ａ、３ｂ            ファスナー
４                    背中心
５                    後身頃
６                    上前身頃
７                    下前身頃
８                    おはしょり
１０                  おはしょりの上線
１１                  おはしょりの下線
１２ａ、１２ｂ        褄下
１３ａ、１３ｂ        衿
１４ａ、１４ｂ        脇線
１５、１５ａ、１５ｂ  紐
１６、１６ａ、１６ｂ  紐
１７ａ、１７ｂ        身八つ口
１８                  ボタン
１９ａ、１９ｂ        ボタン
２０                  帯の胴体
２１                  帯締め
２２                  お太鼓
２３                  たれ
２４ａ、２４ｂ        袖
【図１】
2007077517.tif 000003
【図２】
2007077517.tif 000004
【図３】
2007077517.tif 000005
【図４】
2007077517.tif 000006
【図５】
2007077517.tif 000007
【図６】
2007077517.tif 000008
【図７】
2007077517.tif 000009
【図８】
2007077517.tif 000010
【図９】
2007077517.tif 000011
【図１０】
2007077517.tif 000012
【手続補正書】
【提出日】平成18年7月31日(2006.7.31)
【手続補正１】
【補正対象書類名】特許請求の範囲
【補正対象項目名】全文
【補正方法】変更
【補正の内容】
【特許請求の範囲】
【請求項１】
おはしょりを形成するおはしょり用留め具を着物裏側に設けた背中の丸い人用着物であって、
上前身頃、下前身頃及び後身頃の裾それぞれの位置と背中の丸まり具合とにより前記おはしょりの幅をとり、かつ前記おはしょりの幅を背中心部分において前記背中の丸まりがない場合のおはしょりの幅よりも幅狭で前記背中心部分からその近傍にかけて略平行にとるか又は前記背中心部分から徐々に幅広にとりさらにそこから上前身頃及び下前身頃の褄下側の方向にそれぞれ徐々に幅広となり、かつ前記上前身頃側にある褄下の長さよりも前記下前身頃側にある褄下の長さの方が短くなるように前記着物裏側のおはしょりの上線相当部位とその下方部位の上下それぞれの位置に、上下一組の一連のファスナーからなるおはしょり用留め具を設け、該上下に位置する一組の一連のファスナー同士を閉めることにより前記おはしょりを形成することを特徴とする背中の丸い人用着物。
【請求項２】
前記おはしょりの幅を段階的に調節できるように前記着物裏側のおはしょりの上線相当部位とその下方部位の上下それぞれの位置に設けた上下一組の一連のファスナーからなるおはしょり用留め具の取付け位置に沿って着物の上下方向に複数組設け、該上下に位置する一組の一連のファスナー同士を閉めることにより段階的に調節できるおはしょりを形成することを特徴とする請求項１記載の背中の丸い人用着物。
【請求項３】
下前身頃側にある衿又はその近傍の一部と上前身頃側にある着物裏側の身八つ口の下部の一部とを留める紐又はボタンからなる下前身頃用留め具を設け、上前身頃側にある衿又はその近傍の一部と下前身頃側にある着物表側の身八つ口の下部の一部とを留める紐又はボタンからなる上前身頃用留め具を設けたことを特徴とする請求項１又は２記載の背中の丸い人用着物。
【請求項４】
背中の丸い人用着物を作成する背中の丸い人用着物作成方法であって、
上前身頃、下前身頃及び後身頃の裾それぞれが背中の丸い人の所定の位置に位置するように位置決めするステップと、
所望の位置において前記所定の位置及び背中の丸まり具合によりおはしょりの幅をとりかつ該おはしょりの幅を背中心部分において前記背中の丸まりがない場合のおはしょりの幅よりも幅狭で前記背中心部分からその近傍にかけて略平行にとるか又は前記背中心部分から徐々に幅広にとりさらにそこから上前身頃及び下前身頃の褄下側の方向にそれぞれ徐々に幅広にとり、かつ前記上前身頃側にある褄下の長さよりも前記下前身頃側にある褄下の長さの方が短くなるように前記着物裏側のおはしょりの上線相当部位とその下方部位の上下それぞれの位置に、上下一組の一連のファスナーからなるおはしょり用留め具を設けるためにおはしょりの上線の位置に目印を設けるステップと、
前記目印に沿って一連で、かつ上下一組のファスナーからなり、ファスナー同士を閉めることができるおはしょり用留め具を着物裏側に設けるステップと
を有することを特徴とする背中の丸い人用着物作成方法。
【手続補正２】
【補正対象書類名】明細書
【補正対象項目名】０００７
【補正方法】変更
【補正の内容】
【０００７】
上記課題を解決するための請求項１記載の背中の丸い人用着物は、おはしょりを形成するおはしょり用留め具を着物裏側に設けた背中の丸い人用着物であって、
上前身頃、下前身頃及び後身頃の裾それぞれの位置と背中の丸まり具合とにより前記おはしょりの幅をとり、かつ前記おはしょりの幅を背中心部分において前記背中の丸まりがない場合のおはしょりの幅よりも幅狭で前記背中心部分からその近傍にかけて略平行にとるか又は前記背中心部分から徐々に幅広にとりさらにそこから上前身頃及び下前身頃の褄下側の方向にそれぞれ徐々に幅広となり、かつ前記上前身頃側にある褄下の長さよりも前記下前身頃側にある褄下の長さの方が短くなるように前記着物裏側のおはしょりの上線相当部位とその下方部位の上下それぞれの位置に、上下一組の一連のファスナーからなるおはしょり用留め具を設け、該上下に位置する一組の一連のファスナー同士を閉めることにより前記おはしょりを形成することを特徴とするものである。
【手続補正３】
【補正対象書類名】明細書
【補正対象項目名】０００８
【補正方法】変更
【補正の内容】
【０００８】
上記課題を解決するための請求項２記載の背中の丸い人用着物は、前記おはしょりの幅を段階的に調節できるように前記着物裏側のおはしょりの上線相当部位とその下方部位の上下それぞれの位置に設けた上下一組の一連のファスナーからなるおはしょり用留め具の取付け位置に沿って着物の上下方向に複数組設け、該上下に位置する一組の一連のファスナー同士を閉めることにより段階的に調節できるおはしょりを形成することを特徴とする請求項１記載の背中の丸い人用着物である。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
上記課題を解決するための請求項３記載の背中の丸い人用着物は、下前身頃側にある衿又はその近傍の一部と上前身頃側にある着物裏側の身八つ口の下部の一部とを留める紐又はボタンからなる下前身頃用留め具を設け、上前身頃側にある衿又はその近傍の一部と下前身頃側にある着物表側の身八つ口の下部の一部とを留める紐又はボタンからなる上前身頃用留め具を設けたことを特徴とする請求項１又は２記載の背中の丸い人用着物である。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
上記課題を解決するための請求項４記載の背中の丸い人用着物作成方法は、背中の丸い人用着物を作成する背中の丸い人用着物作成方法であって、
上前身頃、下前身頃及び後身頃の裾それぞれが背中の丸い人の所定の位置に位置するように位置決めするステップと、
所望の位置において前記所定の位置及び背中の丸まり具合によりおはしょりの幅をとりかつ該おはしょりの幅を背中心部分において前記背中の丸まりがない場合のおはしょりの幅よりも幅狭で前記背中心部分からその近傍にかけて略平行にとるか又は前記背中心部分から徐々に幅広にとりさらにそこから上前身頃及び下前身頃の褄下側の方向にそれぞれ徐々に幅広にとり、かつ前記上前身頃側にある褄下の長さよりも前記下前身頃側にある褄下の長さの方が短くなるように前記着物裏側のおはしょりの上線相当部位とその下方部位の上下それぞれの位置に、上下一組の一連のファスナーからなるおはしょり用留め具を設けるためにおはしょりの上線の位置に目印を設けるステップと、
前記目印に沿って一連で、かつ上下一組のファスナーからなり、ファスナー同士を閉めることができるおはしょり用留め具を着物裏側に設けるステップと
を有することを特徴とする背中の丸い人用着物作成方法である。
【手続補正９】
【補正対象書類名】明細書
【補正対象項目名】００２１
【補正方法】変更
【補正の内容】
【００２１】
請求項１記載の発明により、おはしょりを形成するおはしょり用留め具を着物裏側に設けた背中の丸い人用着物であって、上前身頃、下前身頃及び後身頃の裾それぞれの位置と背中の丸まり具合とにより前記おはしょりの幅をとり、かつ前記おはしょりの幅を背中心部分において前記背中の丸まりがない場合のおはしょりの幅よりも幅狭で前記背中心部分からその近傍にかけて略平行にとるか又は前記背中心部分から徐々に幅広にとりさらにそこから上前身頃及び下前身頃の褄下側の方向にそれぞれ徐々に幅広となり、かつ前記上前身頃側にある褄下の長さよりも前記下前身頃側にある褄下の長さの方が短くなるように前記着物裏側のおはしょりの上線相当部位とその下方部位の上下それぞれの位置に、上下一組の一連のファスナーからなるおはしょり用留め具を設け、該上下に位置する一組の一連のファスナー同士を閉めることにより前記おはしょりを形成することにより、ファスナーを閉めるだけでおはしょりを容易に形成できる。また、着物を着る前からおはしょりを容易に形成出来るので、着物を簡単に着ることが出来る。とくに、背中の丸い人は体型の変化によりおはしょりを簡単に形成することができず、着物を簡単に着ることが出来ないが、おはしょりを着物を着る前に形成することで着物を簡単に着ることが出来る。また、いちいち腰紐を巻いておはしょりを形成する必要も無くなる。
【手続補正１０】
【補正対象書類名】明細書
【補正対象項目名】００２３
【補正方法】変更
【補正の内容】
【００２３】
請求項２記載の発明により、前記おはしょりの幅を段階的に調節できるように前記着物裏側のおはしょりの上線相当部位とその下方部位の上下それぞれの位置に設けた上下一組の一連のファスナーからなるおはしょり用留め具の取付け位置に沿って着物の上下方向に複数組設け、該上下に位置する一組の一連のファスナー同士を閉めることにより段階的に調節できるおはしょりを形成することにより、上下に位置する一組の一連のファスナー同士を閉めるだけでおはしょりの幅を段階的に調節でき、着物の丈を調節できることになる。着物の丈を調節することにより、例えば雨天の時には丈を短くする等の丈の調節が可能となる。
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】変更
【補正の内容】
【００２６】
請求項３記載の発明によると、下前身頃側にある衿又はその近傍の一部と上前身頃側にある着物裏側の身八つ口の下部の一部とを留める紐又はボタンからなる下前身頃用留め具を設け、上前身頃側にある衿又はその近傍の一部と下前身頃側にある着物表側の身八つ口の下部の一部とを留める紐又はボタンからなる上前身頃用留め具を設けたので、紐又はボタンからなる上前身頃用留め具、紐又はボタンからなる下前身頃用留め具により、腰紐を用いることなく背中の丸い人用着物を着ることが出来る。また、手を後ろに回すことなく楽に背中の丸い人用着物を着ることが出来る。特に、手を後ろに回すことが不自由な人にとっては、手を後ろに回す必要なく、体の横又は前側で上前身頃用留め具、下前身頃用留め具を結ぶ等して留めることができ、着物を容易に着用できる。
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】変更
【補正の内容】
【００２８】
請求項４記載の発明によると、背中の丸い人用着物をうまく作成できる。
【手続補正１６】
【補正対象書類名】明細書
【補正対象項目名】００３０
【補正方法】変更
【補正の内容】
【００３０】
背中の丸い人用着物１におはしょり８を形成する上下に位置する一組の一連のファスナーからなるおはしょり用留め具を着物裏側に設ける。さらに、おはしょり用留め具が形成するおはしょり８の幅を段階的に調節できるように上下に位置する一組の一連のファスナーからなるおはしょり用留め具の取付け位置に沿ってを着物の上下方向に複数組設け、該上下に位置する一組の一連のファスナー同士を閉めることにより段階的に調節できるおはしょりを形成する。
【手続補正１７】
【補正対象書類名】明細書
【補正対象項目名】００３１
【補正方法】変更
【補正の内容】
【００３１】
おはしょり用留め具はファスナーにより実現される。図１、図２のように背中の丸い人用着物１に、ファスナー２ａ、ファスナー２ｂ、ファスナー３ａ、ファスナー３ｂをおはしょりの幅を段階的に調節できるように着物裏側において着物の上下方向に二組設ける。図１は背中の丸い人用着物１を着物裏側から示す概略図である。図２は背中の丸い人用着物を着物表側から示す概略図である。
【手続補正１８】
【補正対象書類名】明細書
【補正対象項目名】００４０
【補正方法】変更
【補正の内容】
【００４０】
このように、ファスナー２とファスナー３（図１、図２参照）を同種類のものにする、すなわち、複数のファスナーについて互いに開閉可能とすることにより、おはしょり８の幅をより細かく調節できる。また、ファスナー２とファスナー３を色違いにする。すなわち、おはしょり用留め具を上下一組とする複数組設けた場合に互いに色違いとすることで、どのファスナーを締めればどの丈になるか等の区別を容易につけられる。
【手続補正１９】
【補正対象書類名】明細書
【補正対象項目名】００４１
【補正方法】変更
【補正の内容】
【００４１】
上下に位置する一組の一連のファスナー２と３からなるおはしょり用留め具は、おはしょり８の幅を以下のようにしておはしょり８を形成するように着物裏側において設ける。具体的には、おはしょり８の幅を以下のようにしておはしょり８の幅をとっておはしょり８を形成するとともにおはしょりの上線１０の位置に目印を設け、この目印に沿っておはしょり用留め具を着物裏側に設ける。
【手続補正２０】
【補正対象書類名】明細書
【補正対象項目名】００４３
【補正方法】変更
【補正の内容】
【００４３】
おはしょり８を形成するとともに目印を設けるステップは、例えば、背中の丸い人が着物を着て衿１３ａ、１３ｂ、下前身頃７、上前身頃６等を整えて（おはしょりを形成する通常の場合すなわち背中の丸まりがない場合のおはしょりと同様に着物を整えて）行い、目印に沿っておはしょり用留め具を着物裏側に設けるステップについては、着物を脱いでから行うとよい。
【手続補正２１】
【補正対象書類名】明細書
【補正対象項目名】００４８
【補正方法】変更
【補正の内容】
【００４８】
そして、おはしょり８の幅を背中心部分において背中の丸まりがない場合のおはしょりの幅よりも幅狭で背中心部分からその近傍にかけて略平行にとりさらにそこから上前身頃６及び下前身頃７の褄下（褄下１２ａ、褄下１２ｂ）側の方向にそれぞれ徐々に幅広にとる（図３、図４参照）。
【手続補正２２】
【補正対象書類名】明細書
【補正対象項目名】００５１
【補正方法】変更
【補正の内容】
【００５１】
ここで、上述のように「背中心部分」とは背中心４及びその近傍の部分をいい、この部分の少なくとも一部のおはしょり８の幅が背中の丸まりがない場合のおはしょりの幅よりも幅狭になる。すなわち、「背中心部分において背中の丸まりがない場合のおはしょりの幅よりも幅狭」とは、背中心部分における少なくとも一部（背中心４上でなくても良い）にあるおはしょり８の幅が背中の丸まりがない場合のおはしょりの幅よりも狭くなればよい。
【手続補正２３】
【補正対象書類名】明細書
【補正対象項目名】００５５
【補正方法】削除
【補正の内容】
【手続補正２４】
【補正対象書類名】明細書
【補正対象項目名】００５６
【補正方法】変更
【補正の内容】
【００５６】
上述のように上前身頃６、下前身頃７及び後身頃５の裾それぞれの位置と背中の丸まり具合とによりおはしょりの幅をとりかつおはしょりの幅を背中心部分において背中の丸まりがない場合のおはしょりの幅よりも幅狭で前記背中心部分からその近傍にかけて略平行にとり又は徐々に幅広にとりさらにそこから上前身頃及び下前身頃の褄下側の方向にそれぞれ徐々に幅広にとっておはしょりを形成し、かつこのようにおはしょりを形成するような位置におはしょり用留め具を着物裏側に設ける。
【手続補正２５】
【補正対象書類名】明細書
【補正対象項目名】００５８
【補正方法】削除
【補正の内容】
【手続補正２６】
【補正対象書類名】明細書
【補正対象項目名】００５９
【補正方法】削除
【補正の内容】
【手続補正２７】
【補正対象書類名】明細書
【補正対象項目名】００６０
【補正方法】変更
【補正の内容】
【００６０】
上下一組の一連のファスナーからなるおはしょり用留め具を設け、該留め具をはずすすなわちファスナーを開けることで、背中の丸い人用着物１を元の状態に戻すことが出来（図１、図２参照）、着物を元の状態にして、たたんで収納できる。
【手続補正２８】
【補正対象書類名】明細書
【補正対象項目名】００６１
【補正方法】削除
【補正の内容】
【手続補正２９】
【補正対象書類名】明細書
【補正対象項目名】００６２
【補正方法】変更
【補正の内容】
【００６２】
下前身頃７側にある衿１３ｂ又はその近傍の一部と上前身頃６側にある着物裏側の身八つ口１７ａの下部の一部とを留める下前身頃用留め具を設け、上前身頃６側にある衿１３ａ又はその近傍の一部と下前身頃７側にある着物表側の身八つ口１７ｂの下部の一部とを留める上前身頃用留め具を設ける。上前身頃用留め具、下前身頃用留め具については、例えば紐又はボタンにより実現される。
【手続補正３０】
【補正対象書類名】明細書
【補正対象項目名】００７０
【補正方法】変更
【補正の内容】
【００７０】
上前身頃用留め具、下前身頃用留め具は、例えば、背中の丸い人が着物を着て、衿１３ａ、１３ｂ、下前身頃７、上前身頃６等を整えて（背中の丸まりがない人の場合と同様に着物を整えて）から、所望の上述した位置に設ける。
【手続補正書】
【提出日】平成18年12月7日(2006.12.7)
【手続補正１】
【補正対象書類名】特許請求の範囲
【補正対象項目名】全文
【補正方法】変更
【補正の内容】
【特許請求の範囲】
【請求項１】
おはしょりを形成するおはしょり用留め具を着物裏側に設けた背中の丸い人用着物であって、前記おはしょり用留め具は上下一組の一連のファスナーからなり、該ファスナー同士を閉めることにより形成される前記おはしょりの幅が、背中心部分において幅狭で、背中心部分からその近傍にかけて略平行又は前記背中心部分から徐々に幅広になり、さらに上前身頃及び下前身頃においてそれぞれ徐々に幅広となり、かつ上前身頃側にある褄下の長さよりも下前身頃側にある褄下の長さの方が短くなる幅となるよう、おはしょりの上線相当部位とその下方部位の上下それぞれの位置に、前記ファスナーからなるおはしょり用留め具を設けたことを特徴とする、背中の丸い人用着物。
【請求項２】
前記ファスナーからなるおはしょり用留め具を、前記上下それぞれの取付位置において、着物の上下方向に複数組設け、前記おはしょりの幅を段階的に調節できるようにしたことを特徴とする、請求項１記載の背中の丸い人用着物。
【請求項３】
下前身頃側にある衿又はその近傍の一部と上前身頃側にある着物裏側の身八つ口の下部の一部とを留める紐又はボタンからなる下前身頃用留め具を設け、上前身頃側にある衿又はその近傍の一部と下前身頃側にある着物表側の身八つ口の下部の一部とを留める紐又はボタンからなる上前身頃用留め具を設けたことを特徴とする請求項１又は２記載の背中の丸い人用着物。
【請求項４】
背中の丸い人用着物の作成方法であって、背中の丸い人に着物を羽織らせるステップと、上前身頃、下前身頃及び後身頃の裾それぞれを、着物を着た時に裾が位置すべき位置に位置決めするステップと、おはしょりの幅が、背中心部分において幅狭で、背中心部分からその近傍にかけて略平行又は前記背中心部分から徐々に幅広になり、さらに上前身頃及び下前身頃においてそれぞれ徐々に幅広となり、かつ上前身頃側にある褄下の長さよりも下前身頃側にある褄下の長さの方が短くなる幅となるよう、背中の丸まり具合によりおはしょりの幅をとるステップと、前記おはしょりの上線相当部位における着物裏側に、上下一組の一連のファスナーからなるおはしょり用留め具を設けるための目印を設けるステップと、前記目印に沿って前記おはしょり用留め具を着物裏側に設けるステップと、を有することを特徴とする、背中の丸い人用着物の作成方法。
【手続補正２】
【補正対象書類名】明細書
【補正対象項目名】０００７
【補正方法】変更
【補正の内容】
【０００７】
上記課題を解決するための請求項１記載の背中の丸い人用着物は、おはしょりを形成するおはしょり用留め具を着物裏側に設けた背中の丸い人用着物であって、前記おはしょり用留め具は上下一組の一連のファスナーからなり、該ファスナー同士を閉めることにより形成される前記おはしょりの幅が、背中心部分において幅狭で、背中心部分からその近傍にかけて略平行又は前記背中心部分から徐々に幅広になり、さらに上前身頃及び下前身頃においてそれぞれ徐々に幅広となり、かつ上前身頃側にある褄下の長さよりも下前身頃側にある褄下の長さの方が短くなる幅となるよう、おはしょりの上線相当部位とその下方部位の上下それぞれの位置に、前記ファスナーからなるおはしょり用留め具を設けたことを特徴とするものである。
【手続補正３】
【補正対象書類名】明細書
【補正対象項目名】０００８
【補正方法】変更
【補正の内容】
【０００８】
上記課題を解決するための請求項２記載の背中の丸い人用着物は、前記ファスナーからなるおはしょり用留め具を、前記上下それぞれの取付位置において、着物の上下方向に複数組設け、前記おはしょりの幅を段階的に調節できるようにしたことを特徴とする、請求項１記載の背中の丸い人用着物である。
【手続補正４】
【補正対象書類名】明細書
【補正対象項目名】００１３
【補正方法】変更
【補正の内容】
【００１３】
上記課題を解決するための請求項４記載の背中の丸い人用着物作成方法は、背中の丸い人用着物の作成方法であって、背中の丸い人に着物を羽織らせるステップと、上前身頃、下前身頃及び後身頃の裾それぞれを、着物を着た時に裾が位置すべき位置に位置決めするステップと、おはしょりの幅が、背中心部分において幅狭で、背中心部分からその近傍にかけて略平行又は前記背中心部分から徐々に幅広になり、さらに上前身頃及び下前身頃においてそれぞれ徐々に幅広となり、かつ上前身頃側にある褄下の長さよりも下前身頃側にある褄下の長さの方が短くなる幅となるよう、背中の丸まり具合によりおはしょりの幅をとるステップと、前記おはしょりの上線相当部位における着物裏側に、上下一組の一連のファスナーからなるおはしょり用留め具を設けるための目印を設けるステップと、前記目印に沿って前記おはしょり用留め具を着物裏側に設けるステップと、を有することを特徴とする、背中の丸い人用着物の作成方法である。
【手続補正５】
【補正対象書類名】明細書
【補正対象項目名】００２１
【補正方法】変更
【補正の内容】
【００２１】
請求項１記載の発明により、おはしょりを形成するおはしょり用留め具を着物裏側に設けた背中の丸い人用着物であって、前記おはしょり用留め具は上下一組の一連のファスナーからなり、該ファスナー同士を閉めることにより形成される前記おはしょりの幅が、背中心部分において幅狭で、背中心部分からその近傍にかけて略平行又は前記背中心部分から徐々に幅広になり、さらに上前身頃及び下前身頃においてそれぞれ徐々に幅広となり、かつ上前身頃側にある褄下の長さよりも下前身頃側にある褄下の長さの方が短くなる幅となるよう、おはしょりの上線相当部位とその下方部位の上下それぞれの位置に、前記ファスナーからなるおはしょり用留め具を設けたので、ファスナーを閉めるだけでおはしょりを容易に形成できる。また、着物を着る前からおはしょりを容易に形成出来るので、着物を簡単に着ることが出来る。とくに、背中の丸い人は体型の変化によりおはしょりを簡単に形成することができず、着物を簡単に着ることが出来ないが、おはしょりを着物を着る前に形成することで着物を簡単に着ることが出来る。また、いちいち腰紐を巻いておはしょりを形成する必要も無くなる。
【手続補正６】
【補正対象書類名】明細書
【補正対象項目名】００２３
【補正方法】変更
【補正の内容】
【００２３】
請求項２記載の発明により、前記ファスナーからなるおはしょり用留め具を、前記上下それぞれの取付位置において、着物の上下方向に複数組設け、前記おはしょりの幅を段階的に調節できるようにしたので、上下に位置する一組の一連のファスナー同士を閉めるだけでおはしょりの幅を段階的に調節でき、着物の丈を調節できることになる。着物の丈を調節することにより、例えば雨天の時には丈を短くする等の丈の調節が可能となる。